(57)【要約】【課題】携帯電話機と複数回線接続時の無線基地局装置の動作評価をより安価に行うことを可能にした無線基地局装置評価システムを提供する。【解決手段】評価用のデータを含むダウンリンク信号を無線基地局装置に送出させ、回線毎にアップリンク信号に含まれるデータを元のデータと比較評価するＲＮＣシミュレータと、無線基地局装置と１回線で接続し、ダウンリンク信号を受信するとアップリンク信号を無線基地局装置に送信し、受信したデータと格納されたデータとを比較評価するＵＥシミュレータと、残回線分のアップリング信号を多重して無線基地局装置に送信する信号発生器と、無線基地局装置と残回線で接続し、残回線のダウンリンク信号をベースバンド信号に復調して保存する信号受信器と、ベースバンド信号を回線毎にデコードしてデータに変換し、変換したデータと格納されたデータとを比較評価する受信信号デコード装置とを有する。【選択図】図１
2008048159.tif 000002
【特許請求の範囲】
【請求項１】
評価用のデータが格納され、無線基地局装置に複数回線を設定し、前記データを含むダウンリンク信号を前記無線基地局装置に前記複数回線を介して送出させ、該データを含むアップリンク信号を該無線基地局装置を介して受信すると、回線毎に前記アップリンク信号に含まれるデータと予め格納されたデータとを比較評価する無線制御装置シミュレータと、
前記データが格納され、前記無線基地局装置と１回線で無線接続し、該無線基地局装置から前記ダウンリンク信号を受信すると、該データを含むアップリンク信号を前記無線基地局装置に送信し、前記ダウンリンク信号から読み出したデータと予め格納されたデータとを比較評価する移動機シミュレータと、
前記データが格納され、該データを含むアップリンク信号を生成し、生成したアップリンク信号を前記複数回線から１回線除いた残回線分だけ多重して前記無線基地局装置に該残回線を介して無線通信で送信する信号発生器と、
前記無線基地局装置と前記残回線で無線接続し、該無線基地局装置から受信する該残回線分のダウンリンク信号をベースバンド信号に復調して保存する信号受信器と、
前記データが格納され、前記信号受信器と接続され、該信号受信器に保存された前記ベースバンド信号を回線毎にデコードしてデータに変換し、変換したデータと予め格納されたデータとを比較評価する受信信号デコード装置と、
を有する無線基地局装置評価システム。
【請求項２】
前記受信信号デコード装置は、
前記信号受信器で保存されたベースバンド信号を格納し、オフラインにて該ベースバンド信号を回線毎に順次デコードする、請求項１記載の無線基地局装置評価システム。
【請求項３】
前記無線制御装置シミュレータ、前記移動機シミュレータおよび前記受信信号デコード装置と接続され、これらの装置のそれぞれから評価結果を収集する制御装置をさらに有する請求項１または２記載の無線基地局装置評価システム。
【請求項４】
無線基地局装置の動作を評価するための無線基地局装置評価方法であって、
前記無線基地局装置に複数回線を設定し、評価用のデータを含むダウンリンク信号を前記無線基地局装置に前記複数回線を介して送出させ、
前記複数回線のうちの１回線について、前記ダウンリンク信号を受信すると、前記データを含むアップリンク信号を前記無線基地局装置に送信し、前記ダウンリンク信号から読み出したデータと予め格納されたデータとを比較評価し、
前記データを含むアップリンク信号を生成し、生成したアップリンク信号を前記複数回線から１回線除いた残回線分だけ多重して前記無線基地局装置に該残回線を介して送信し、
前記アップリンク信号を前記無線基地局装置を介して受信すると、回線毎に前記アップリンク信号に含まれるデータと予め格納されたデータとを比較評価し、
前記無線基地局装置から受信する前記残回線分のダウンリンク信号をベースバンド信号に復調し、
前記ベースバンド信号を回線毎にデコードしてデータに変換し、変換したデータと予め格納されたデータとを比較評価する、無線基地局装置評価方法。
【発明の詳細な説明】
【技術分野】
【０００１】
本発明は、携帯電話の無線基地局装置の動作を評価する無線基地局装置評価システムおよび無線基地局装置評価方法に関する。
【背景技術】
【０００２】
携帯電話システムには、携帯電話機と無線で通信する複数の無線基地局装置と、複数の無線基地局装置と専用線を介して接続されたＲＮＣ（Radio Network Controller：無線制御装置）とが設けられている。ＲＮＣは複数の無線基地局装置を制御する。ユーザが携帯電話機を操作して通話を行うと、無線基地局装置が携帯電話機と無線で通信を行い、ＲＮＣが無線基地局装置と制御のための通信を行う。
【０００３】
従来、携帯電話機およびＲＮＣのそれぞれと無線基地局装置との通信を評価する際、実物の携帯電話機の代わりにＵＥ（User Equipment：移動機）シミュレータを使用し、実物のＲＮＣの代わりにＲＮＣシミュレータを使用していた。
【０００４】
一方、ＷＣＤＭＡ（Wideband CDMA）方式携帯電話の無線基地局装置に対して３ＧＰＰ勧告に沿った一連の検査を実施する技術の一例が特許文献１に開示されている。
【特許文献１】特開２００３−２２４５３４号公報
【発明の開示】
【発明が解決しようとする課題】
【０００５】
ＷＣＤＭＡ方式携帯電話の無線基地局装置を評価するための、一般に市販されているシミュレータは、３ＧＰＰ勧告に沿った一連の検査を実施する目的のものがそのほとんどである。また、ＲＮＣシミュレータやＵＥシミュレータが市販されているが、多回線接続時を評価する場合、これらのシミュレータを用いて評価システムを構築しようとすると、ＵＥシミュレータが回線数分必要となり非常に高価になってしまう。
【０００６】
また、実物のＲＮＣや携帯電話機を使用してＲＡＮ（Radio Access Network:無線アクセスネットワーク）システム全体として評価系を構築する報告もあるが、評価系の規模が非常に大きく、無線基地局装置単体の機能評価を実施する際に、ＲＮＣや携帯電話機の影響などにより不確定な要素が入り込んでしまうおそれがある。
【０００７】
本発明は上述したような従来の技術が有する問題点を解決するためになされたものであり、携帯電話機と複数回線接続時の無線基地局装置の動作評価をより安価に行うことを可能にした無線基地局装置評価システムおよび無線基地局装置評価方法を提供することを目的とする。
【課題を解決するための手段】
【０００８】
上記目的を達成するための本発明の無線基地局装置評価システムは、
評価用のデータが格納され、無線基地局装置に複数回線を設定し、前記データを含むダウンリンク信号を前記無線基地局装置に前記複数回線を介して送出させ、該データを含むアップリンク信号を該無線基地局装置を介して受信すると、回線毎に前記アップリンク信号に含まれるデータと予め格納されたデータとを比較評価する無線制御装置シミュレータと、
前記データが格納され、前記無線基地局装置と１回線で無線接続し、該無線基地局装置から前記ダウンリンク信号を受信すると、該データを含むアップリンク信号を前記無線基地局装置に送信し、前記ダウンリンク信号から読み出したデータと予め格納されたデータとを比較評価する移動機シミュレータと、
前記データが格納され、該データを含むアップリンク信号を生成し、生成したアップリンク信号を前記複数回線から１回線除いた残回線分だけ多重して前記無線基地局装置に該残回線を介して無線通信で送信する信号発生器と、
前記無線基地局装置と前記残回線で無線接続し、該無線基地局装置から受信する該残回線分のダウンリンク信号をベースバンド信号に復調して保存する信号受信器と、
前記データが格納され、前記信号受信器と接続され、該信号受信器に保存された前記ベースバンド信号を回線毎にデコードしてデータに変換し、変換したデータと予め格納されたデータとを比較評価する受信信号デコード装置と、
を有する構成である。
【０００９】
本発明では、移動機シミュレータを無線基地局装置と１回線で接続される移動機として動作させ、信号発生器および信号受信器に無線基地局装置との複数回線の処理を擬似的に実行させ、残回線のダウンリンク信号の評価を受信信号デコード装置で実行させている。そのため、移動機シミュレータ、無線制御装置シミュレータおよび受信信号デコード装置による評価結果から、無線基地局装置に設定された複数回線のうち１回線と残回線の相互の影響を評価することが可能となる。
【発明の効果】
【００１０】
携帯電話の無線基地局装置に設定される複数回線のうち１回線を除いた残回線についてのダウンリンク信号を受信信号デコード装置で評価させているため、従来よりも安価に複数回線接続時における評価用データの送受信の動作を評価できる。また、無線基地局装置に設定される複数回線のうち１回線をＵＥシミュレータで無線基地局装置と通信接続しているため、移動機に特定の動作を実行させる場合の評価をすることができる。ＵＥシミュレータを必要最小限に設けることでシステム全体の規模が大きくなることが避けられ、システム内の装置の影響により評価に不確定な要素が入り込むことを抑制できる。
【発明を実施するための最良の形態】
【００１１】
本実施形態では、携帯電話の通信方式にＷＣＤＭＡ方式を用いて、ＷＣＤＭＡ方式携帯電話の無線基地局装置の動作を評価する方法について説明する。
【００１２】
本実施形態の無線基地局装置評価システムの構成を説明する。
【００１３】
図１は本実施形態の無線基地局装置評価システムの一構成例を示すブロック図である。
【００１４】
図１に示すように無線基地局装置評価システム１は、ＲＮＣシミュレータ１１と、ＵＥシミュレータ１２と、擬似的に複数のＵｕ（無線区間）点上のアップリンク信号を多重生成する信号発生器１３と、Ｕｕ点上のダウンリンク信号を受信してベースバンド信号として保存する信号受信器１４と、信号受信器１４が保存したベースバンド信号を回線毎にデコードする受信信号デコード装置１５と、各部を制御する制御装置１６とを有する構成である。
【００１５】
ＲＮＣシミュレータ１１は無線基地局装置１０とＩｕｂ（有線区間）点にてＡＴＭ（Asynchronous Transfer Mode）−Ｉ／Ｆを介して接続される。ＵＥシミュレータ１２、信号発生器１３および信号受信器１４は、無線基地局装置１０とＵｕ点にてＲＦ−Ｉ／Ｆを介して接続される。信号受信器１４と受信信号デコード装置１５はデータ転送用の専用線を介して接続されている。制御装置１６は、ＲＮＣシミュレータ１１、ＵＥシミュレータ１２、信号発生器１３、信号受信器１４および受信信号デコード装置１５のそれぞれと制御信号用の専用線を介して接続されている。
【００１６】
ＲＮＣシミュレータ１１の構成を説明する。図２はＲＮＣシミュレータの一構成例を示すブロック図である。図２に示すようにＲＮＣシミュレータ１１は、無線基地局装置１０および制御装置１６とデータを送受信するＲＮＣ通信部１１２と、ＲＮＣ記憶部１１４と、ＲＮＣ制御部１１６とを有する。ＲＮＣ制御部１１６は、プログラムにしたがって所定の処理を実行するＤＳＰ（Digital Signal Processor）（不図示）と、プログラムを格納するためのメモリ（不図示）とを有する。ＲＮＣ記憶部１１４には、無線基地局装置１０を評価するためのシミュレーション内容に対応した設定情報が格納される。制御装置１６からＲＮＣ通信部１１２を介して設定情報を受信すると、ＲＮＣ制御部１１６がＲＮＣ記憶部１１４に設定情報を格納する。設定情報は評価用データを含んでいる。
【００１７】
ＲＮＣシミュレータ１１は、評価対象の無線基地局装置１０の複数回線接続時の動作評価を行うため、複数の回線の設定および切断の呼制御（Ｃ−ｐｌａｎｅ）の負荷評価機能と、アップリンク／ダウンリンクのＩｕｂ点上の評価用データの送受信（Ｕ−ｐｌａｎｅ）の負荷評価機能とを備えている。Ｕ−ｐｌａｎｅの評価は、アップリンク信号に含まれる評価用データと元の評価用データとを比較するために、アップリンク信号のＢＬＥＲ／ＢＥＲ測定を行うものである。ＲＮＣ制御部１１６は、ＵＥシミュレータ１２および信号発生器１３から無線基地局装置１０を介してアップリンク信号を受信すると、設定情報にしたがって、評価用データに対して回線毎にアップリンク信号のＢＬＥＲ／ＢＥＲ測定を行う。そして、測定結果を制御装置１６に送信する。
【００１８】
次に、ＵＥシミュレータ１２の構成を説明する。図３はＵＥシミュレータの一構成例を示すブロック図である。図３に示すようにＵＥシミュレータ１２は、制御装置１６とデータを送受信するＵＥ通信部１２２と、無線基地局装置１０とＲＦ信号を送受信するＲＦ信号送受信部１２３と、ＵＥ記憶部１２４と、ＵＥ制御部１２６とを有する。ＵＥ制御部１２６は、プログラムにしたがって所定の処理を実行するＤＳＰ（不図示）と、プログラムを格納するためのメモリ（不図示）とを有する。ＵＥシミュレータ１２はＷＣＤＭＡ方式携帯電話の１つの移動機の機能を擬似的に実行する。ＵＥ制御部１２６は、制御装置１６からＵＥ通信部１２２を介して設定情報を受信すると、設定情報をＵＥ記憶部１２４に格納する。設定情報には評価用データが含まれている。
【００１９】
ＵＥ制御部１２６は、設定情報にしたがって、次のように動作する。ＵＥ制御部１２６は、ＲＦ信号送受信部１２３を介してダウンリンク信号を受信すると、ＵＥ記憶部１２４から評価用データを読み出し、評価用データを含むアップリンク信号を生成して無線基地局装置１０にＲＦ信号で送信する。また、ダウンリンク信号から読み出した評価用データとＵＥ記憶部１２４に格納された評価用データとを用いてＢＬＥＲ／ＢＥＲ測定を行う。そして、測定結果を制御装置１６に送信する。
【００２０】
次に、信号発生器１３の構成を説明する。図４は信号発生器の一構成例を示すブロック図である。図４に示すように信号発生器１３は、制御装置１６とデータを送受信する通信部１３２と、無線基地局装置１０にＲＦ信号を送出するＲＦ信号発生部１３３と、信号生成部１３５とを有する。信号生成部１３５は処理部１３６とデータ記憶部１３４とを有する。処理部１３６は、プログラムにしたがって所定の処理を実行するＤＳＰ（不図示）と、プログラムを格納するためのメモリ（不図示）とを有する。処理部１３６は、制御装置１６から通信部１３２を介して設定情報を受信すると、設定情報をデータ記憶部１３４に格納する。設定情報には評価用データが格納されている。
【００２１】
処理部１３６は、設定情報にしたがって、無線基地局装置１０との間で設定される複数回線のうちＵＥシミュレータ１２の分の１回線を除いた回線である残回線のそれぞれについて評価用データを含むアップリンク信号を生成する。そして、これらのアップリンク信号を多重した信号であるアップリンク多重信号をＲＦ信号に変換してＲＦ信号発生部１３３から無線基地局装置１０に送信する。なお、信号発生器１３については、特開２００３−３３３６４２号公報に開示されているため、ここでは、その詳細な説明を省略する。
【００２２】
次に、信号受信器１４の構成を説明する。図５は信号受信器の一構成例を示すブロック図である。図５に示すように信号受信器１４は、制御装置１６とデータを送受信する通信部１４２と、無線基地局装置１０からＲＦ信号を受信するＲＦ信号受信部１４３と、制御部１４６と、データ記憶部１４４とを有する。制御部１４６は、プログラムにしたがって所定の処理を実行するＤＳＰ（不図示）と、プログラムを格納するためのメモリ（不図示）とを有する。
【００２３】
制御部１４６は、制御装置１６から通信部１４２を介して設定情報を受信すると、設定情報をデータ記憶部１４４に格納する。制御部１４６は、無線基地局装置１０のＵｕ点上のダウンリンク信号をＲＦ信号受信部１４３を介して受信すると、設定情報にしたがって、ダウンリンク信号をベースバンド信号に復調してデータ記憶部１４４に保存する。そして、データ記憶部１４４に保存したベースバンド信号を受信信号デコード装置１５に送信する。
【００２４】
次に、受信信号デコード装置１５の構成を説明する。図６は受信信号デコード装置の一構成例を示すブロック図である。図６に示すように受信信号デコード装置１５は、信号受信器１４および制御装置１６とデータを送受信する通信部１５２と、記憶部１５４と、制御部１５６とを有する。制御部１５６は、プログラムにしたがって所定の処理を実行するＤＳＰ（不図示）と、プログラムを格納するためのメモリ（不図示）とを有する。
【００２５】
制御部１５６は、制御装置１６から通信部１５２を介して設定情報を受信すると、設定情報を記憶部１５４に格納する。この設定情報には評価用データが含まれている。制御部１５６は、残回線分のベースバンド信号を信号受信器１４から受信すると、ベースバンド信号を記憶部１５４に格納する。続いて、設定情報にしたがって、回線毎にベースバンド信号を順次デコードして評価用データに変換する。デコード処理は残回線の回線毎に実行されるため、残回線の数が膨大であると処理に時間がかかることになる。そのため、オフラインでデコード処理を行うようにしてもよい。デコードの処理が終了すると、記憶部１５４に予め格納された評価用データとベースバンド信号をデコードした評価用データとを比較評価する。評価方法として、ＢＬＥＲ／ＢＥＲ測定を行う。そして、測定結果を制御装置１６に送信する。
【００２６】
次に、制御装置１６の構成を説明する。図７は制御装置の一構成例を示すブロック図である。図７に示すように制御装置１６は、本システムの他の構成とデータを送受信する通信部１６２と、記憶部１６４と、処理部１６６と、操作者が指示を入力するための操作部１６９とを有する。処理部１６６はプログラムにしたがって所定の処理を実行するＣＰＵ（Central Processing Unit）１６７と、プログラムが格納されたプログラムメモリ１６８とを有する。シミュレーション内容が記述された情報が記憶部１６４に登録されている。処理部１６６は、記憶部１６４に格納されたシミュレーション内容に対応して各部に設定情報を通信部１６２を介して送信する。また、ＲＮＣシミュレータ１１および受信信号デコード装置１５のそれぞれから測定結果を受信すると、無線基地局装置１０に設定した複数回線の回線毎に測定結果を収集して記憶部１６４に格納する。
【００２７】
シミュレーション内容には、無線基地局装置１０を評価するための条件を設定してもよい。移動機に特定の動作をさせて、無線基地局装置１０の動作を評価することも可能である。特定の動作とは、例えば、移動機にコンプレストモードでハンドオーバさせる場合がある。また、シミュレーション内容が記述された情報とは、本システムの各装置をシミュレーション内容にしたがって動作させるためのプログラムであってもよく、本システムの装置毎に登録されたプログラムに対してシミュレーションに応じた条件を設定するための情報であってもよい。
【００２８】
なお、本実施形態では、評価用データのＢＬＥＲ／ＢＥＲ測定を行って、無線基地局装置１０のＵ−ｐｌａｎｅ評価を行っているが、その他の方法であってもよい。
【００２９】
次に、本実施形態の無線基地局装置評価システムの動作を説明する。ここでは、無線基地局装置１０に設定される回線数をｎ（ｎは２以上の正の整数）とする。
【００３０】
図８は無線基地局装置評価システムの動作手順を示すフローチャートである。操作者が制御装置１６の操作部１６９を操作してシミュレーション内容が記述された情報を記憶部１６４に登録する。制御装置１６は、シミュレーション内容が記述された情報が登録されると、ＲＮＣシミュレータ１１、ＵＥシミュレータ１２、信号発生器１３、信号受信器１４および受信信号デコード装置１５に設定情報を送信する。各装置は通信部を介して設定情報を受信すると、記憶部に設定情報を格納する。
【００３１】
操作者が制御装置１６の操作部１６９を操作してシミュレーションを開始する旨の指示を入力すると、制御装置１６はシミュレーションを開始させるための開始信号をＲＮＣシミュレータ１１、ＵＥシミュレータ１２、信号発生器１３および信号受信器１４に送信する（ステップ１０１）。ＲＮＣシミュレータ１１は、制御装置１６から開始信号を受信すると、ＲＮＣ記憶部１１４に格納された設定情報にしたがって、Ｕ−ｐｌａｎｅの負荷評価のために無線基地局装置１０に対して回線数ｎの回線設定を行い、回線設定した分のダウンリンク信号の送信を開始する(ステップ１０２)。このダウンリンク信号には評価用データが含まれている。
【００３２】
無線基地局装置１０は、Ｉｕｂ点を介してＲＮＣシミュレータ１１からダウンリンク信号を受信すると、ダウンリンク信号をＲＦ信号に変換し、Ｕｕ点を介してＵＥシミュレータ１２と信号受信器１４にダウンリンク信号を送信する（ステップ１０３）。
【００３３】
ＵＥシミュレータ１２は、ＵＥ記憶部１２４に格納された設定情報にしたがって、ｎ回線のうち１回線に対して自装置用の回線設定を行い、無線基地局装置１０からダウンリンク信号を受信する。そして、ダウンリンク信号を受信すると、ＵＥ記憶部１２４に格納された評価用データを読み出し、読み出した評価用データを含むアップリンク信号をＲＦ信号にしてＵｕ点を介して無線基地局装置１０に送信する（ステップ１０４）。無線基地局装置１０は、ＵＥシミュレータ１２からアップリンク信号を受信すると、Ｉｕｂ点上のアップリンク信号に変換してＲＮＣシミュレータ１１に送信する。また、ＵＥシミュレータ１２は、ダウンリンク信号から読み出した評価用データとＵＥ記憶部１２４に格納された評価用データとのＢＬＥＲ／ＢＥＲ測定を行う(ステップ１０５)。そして、その測定結果を制御装置１６に送信する。
【００３４】
一方、信号発生器１３は、制御装置１６から開始信号を受信すると、データ記憶部１３４に格納された設定情報にしたがって、ｎ回線のうちＵＥシミュレータ１２用の回線を除いた（ｎ−１）回線分のアップリンク信号を多重したアップリンク多重信号をＲＦ信号に変換し、Ｕｕ点を介して無線基地局装置１０にＲＦ信号の送信する(ステップ１０６)。無線基地局装置１０は、信号発生器１３からアップリンク多重信号のＲＦ信号を受信すると、Ｉｕｂ点上のアップリンク多重信号に変換してＲＮＣシミュレータ１１に送信する。
【００３５】
ＲＮＣシミュレータ１１は、無線基地局装置１０からＩｕｂ点を介してＵＥシミュレータ１２のアップリンク信号と信号発生器１３のアップリンク多重信号を受信すると、ＲＮＣ記憶部１１４に格納された設定情報にしたがって、ステップ１０２で設定したｎ回線分のＵ−ｐｌａｎｅの負荷評価用アップリンク信号に関して、回線毎にＢＬＥＲ／ＢＥＲ測定を行う(ステップ１０７)。
【００３６】
また、ＲＮＣシミュレータ１１は、設定情報にしたがって、Ｃ−ｐｌａｎｅの負荷評価用に複数回線に対して回線設定および切断処理を実行し、その処理の履歴についてＲＮＣ記憶部１１４への保存を開始する(ステップ１０８)。そして、ＲＮＣシミュレータ１１は、ｎ回線分のＵ−ｐｌａｎｅの負荷評価の測定結果を制御装置１６に送信する。
【００３７】
信号受信器１４は、無線基地局装置１０からＵｕ点を介して送出されるダウンリンク信号をＲＦ信号として受信すると、データ記憶部１４４に格納された設定情報にしたがって、ダウンリンク信号をベースバンド信号に復調してデータ記憶部１４４に保存する（ステップ１０９）。その後、データ記憶部１４４に保存したベースバンド信号を受信信号デコード装置１５に送信する。
【００３８】
受信信号デコード装置１５は、信号受信器１４からベースバンド信号を受信すると、記憶部１５４に格納された設定情報にしたがって、ステップ１０２で設定した（ｎ−１）回線に対してベースバンド信号を回線毎に順次デコードし、評価用データについてＢＬＥＲ／ＢＥＲ測定を行う(ステップ１１０)。そして、測定結果を制御装置１６に送信する。ＷＣＤＭＡ方式では、コード多重されているデータを回線毎に設定されているユーザ設定パラメータを使用してデコードすることが可能である。そのため、受信信号デコード装置１５におけるデコード処理の際、各回線のデコード処理をリアルタイムで実施せず、オフラインで実施することが可能である。
【００３９】
制御装置１６は、ステップ１０７で測定された各Ｕ−ｐｌａｎｅ評価用回線のアップリンク信号のＢＬＥＲ／ＢＥＲ判定結果をＲＮＣシミュレータ１１より受け取り、ステップ１０８で測定されたＣ−ｐｌａｎｅ評価用の回線処理結果をＲＮＣシミュレータ１１より収集する。また、ステップ１０５で測定した１回線分のダウンリンク信号のＢＬＥＲ／ＢＥＲ測定結果をＵＥシミュレータ１２より収集する。また、受信信号デコード装置１５より、ステップ１０８で測定した各回線分のダウンリンク信号のＢＬＥＲ／ＢＥＲ測定結果を収集する(ステップ１１１)。ステップ１１１で収集した測定データを解析することで、ＷＣＤＭＡ方式携帯電話の無線基地局装置の多回線接続時の動作評価を実施することができる。
【００４０】
なお、ステップ１０３およびステップ１０６を時系列で異なる時刻に処理するように説明したが、これらの処理をほとんど同時に行うようにしてもよい。また、ステップ１０３から１１１の処理は１回に限らず、複数回行ってもよい。
【００４１】
本実施形態の無線基地局装置評価システムは、上述したように、ＵＥシミュレータの１回線分を除いた残回線のダウンリンク信号の評価を受信信号デコード装置に実行させることで、無線基地局装置の複数回線接続時のＣ−ｐｌａｎｅおよびＵ−ｐｌａｎｅの動作を回線毎に評価することを可能にしている。また、無線基地局装置に設定された複数回線のうち１回線と残回線の相互の影響を評価することが可能となる。そして、ＵＥシミュレータを回線数分準備する必要がないため、システムが高価になることを避けられる。
【００４２】
また、ＵＥシミュレータを必要最小限に設けることでシステム全体の規模が大きくなることが避けられ、システム内の装置の影響により評価に不確定な要素が入り込むことを抑制できる。
【００４３】
また、無線基地局装置に設定される複数回線のうち１回線をＵＥシミュレータで無線基地局装置と通信接続しているため、移動機に特定の動作を実行させた場合の評価をすることも可能である。ＵＥシミュレータに設定した１回線において特定の動作を実施させることで、その回線以外の他の回線への影響に関して評価することが可能である。また、一部の回線切断状況などを発生させて無線基地局装置の内部処理に負荷をかけた場合、他の回線が影響を受けることなく動作するかなどを評価することも可能である。
【００４４】
さらに、回線数分のダウンリンク信号を一旦格納し、シミュレーション実行後にオフラインで評価することが可能である。そのため、回線数が膨大であっても、回線毎に詳しい評価をすることができる。
【実施例１】
【００４５】
本実施例は、無線基地局装置と１回線で無線接続される移動機に特定の動作をさせたときに他の回線への影響を評価するものである。特定の動作は、コンプレストモードによるハンドオーバーシーケンスを実行させるものである。
【００４６】
コンプレストモードへの切り替えは、本来ＲＮＣが無線基地局装置と移動機にそれぞれ別のプロトコルを用いて指定するが、本実施例の無線基地局装置評価システム１では、制御装置１６が切り替えを指示するための信号である切替制御信号をＲＮＣシミュレータ１１とＵＥシミュレータ１２に送信する。
【００４７】
本実施例の無線基地局装置評価システムの動作を図８を参照して説明する。
【００４８】
図８に示したステップ１０２で回線設定を行った後、ステップ１０３からステップ１１０までの処理を繰り返す間に、制御装置１６がＵＥシミュレータ１２で取得可能なＳＦＮ（System Frame Number）値を監視し、タイミングを合わせてＲＮＣシミュレータ１１とＵＥシミュレータ１２にコンプレストモードへの切り替え処理を指示するための切替制御信号を送信する。ＲＮＣシミュレータ１１およびＵＥシミュレータ１２のそれぞれは、制御装置１６から切替制御信号を受信すると、コンプレストモードによるハンドオーバーシーケンスを実行する。その後、ステップ１１１で制御装置１６はコンプレストモードへの切り替え前後の測定結果を収集する。
【００４９】
本実施例では、無線基地局装置１０の複数の回線のうち１回線をＵＥシミュレータ１２と通信接続させ、他の複数の回線が信号受信器１４と通信接続された状態にあるとき、コンプレストモードによるハンドオーバーシーケンスなどの特定のシーケンスをＵＥシミュレータ１２で設定した回線に関して実行することで、１回線におけるそのシーケンス実行による他の回線への影響を評価することが可能である。その反対に、特定の動作を実施した１回線について、その他の回線による影響も評価できる。
【実施例２】
【００５０】
本実施例は、無線基地局装置のメンテナンス作業による、通信への影響を評価するものである。
【００５１】
無線基地局装置１０には、複数のセクタに共通な構成部分と、セクタ毎に異なる構成部分とがある。セクタ毎に異なる構成部分における回路基板（以下、カードと称する）に不具合があると、不具合のあるカードを外して新しいカードを装着するカードリセットを管理者が行う必要がある。無線基地局装置１０は、このカードリセットを行う間、カード交換対象のセクタの分の処理を他のセクタで実行するように予めプログラムされている。そのため、カードリセットの間、他のセクタの処理負荷が増加する。
【００５２】
図８に示したステップ１０３から１０６の処理を複数回繰り返す間に、無線基地局装置１０でカードリセットを実行することで、このような状況のときに呼制御や評価用データの送受信制御にどのような影響があるかを評価することが可能である。
【００５３】
本実施例では、上述のようにして、無線基地局装置の一部を異常状況にし、ある一部の回線が切断されるような状況をシミュレートした際に、その他の回線がどの程度影響を受けるかなどを確認できる。
【図面の簡単な説明】
【００５４】
【図１】本実施形態の無線基地局装置評価システムの一構成例を示すブロック図である。
【図２】ＲＮＣシミュレータの一構成例を示すブロック図である。
【図３】ＵＥシミュレータの一構成例を示すブロック図である。
【図４】信号発生器の一構成例を示すブロック図である。
【図５】信号受信器の一構成例を示すブロック図である。
【図６】受信信号デコード装置の一構成例を示すブロック図である。
【図７】制御装置の一構成例を示すブロック図である。
【図８】本実施形態の無線基地局装置評価システムの動作手順を示すフローチャートである。
【符号の説明】
【００５５】
１    無線基地局装置評価システム
１１    ＲＮＣシミュレータ
１２    ＵＥシミュレータ
１３    信号発生器
１４    信号受信器
１５    受信信号デコード装置
１６    制御装置
【図１】
2008048159.tif 000003
【図２】
2008048159.tif 000004
【図３】
2008048159.tif 000005
【図４】
2008048159.tif 000006
【図５】
2008048159.tif 000007
【図６】
2008048159.tif 000008
【図７】
2008048159.tif 000009
【図８】
2008048159.tif 000010